(57)【要約】【課題】近年指の力が減退してきた老人人口が増え落花生の殻剥きが面倒な作業となっている消費者が増加していることを鑑み、落花生の殻剥きを容易に行うことができる器具を提供する。【解決手段】樹脂製の器具であって、落花生の大きさに対応した細長凹部で構成される収納部１１を備えた受体部１と、前記収納部１１と対向し、対向面長手方向中央に殻割突条２１を設けてなる押圧体部２とを、Ｕ状弾性部３で挟圧開閉自在に連結し、落花生を収納部１１に納め、軽く握ると殻割突条２１が落花生の殻に食い込み、殻割が簡単に実現できる。【選択図】図１
0003204072.tif 000002
【実用新案登録請求の範囲】
【請求項１】
樹脂製の器具であって、落花生の大きさに対応した細長凹部で構成される収納部を備えた受体部と、前記収納部と対向し、対向面長手方向中央に殻割突条を設けてなる押圧体部とを、Ｕ状弾性部で押圧開閉自在に連結してなることを特徴とする落花生殻割器。
【請求項２】
押圧体部とＵ状弾性部とが一体の成型体で、Ｕ状弾性部の端部に連結突部を設け、受体部に挿着孔部を形成し、連結突部を挿入孔部に嵌殺し連結してなる請求項１記載の落花生殻割器。
【請求項３】
収納部の開口端と反対側の奥部に、側壁を幅狭として小凹部を連設してなる請求項１又は２記載の落花生殻割器。
【請求項４】
収納部内における底面と側壁の境界近傍に、横ズレ抑止用小突条を長手方向に設けてなる請求項１乃至３記載の何れかの落花生殻割器。
【請求項５】
押圧体部の上面に浅い皿状の押圧面部に形成してなる請求項１乃至４記載の何れかの落花生殻割器。
【考案の詳細な説明】
【技術分野】
【０００１】
本考案は、落花生の殻を取り外すのに使用する落花生殻割器に関するものである。
【背景技術】
【０００２】
落花生は殻付きのまま流通し、殻を手で割って種（ピーナッツ）を食するもので、特に殻割りが困難ではないので、家庭用品として落花生の殻割器具は知られていない。但し落花生農家では、ピーナッツとして出荷するために、竹板材を単にＵ状に屈曲した道具を使用して、殻割を行っている（非特許文献１）。
【先行技術文献】
【非特許文献】
【０００３】
【非特許文献１】「藤倉商店三代目の店長日記」［平成２８年２月１５日検索］インターネット＜URL:http://blog.livedoor.jp/caltrask1026/archives/52107351.htmi＞
【考案の概要】
【考案が解決しようとする課題】
【０００４】
落花生栽培農家が使用するＵ状の竹製道具は、単に割竹をＵ状に折曲したもので、落花生を挟んで対向部分で押圧して殻割を行うものであるが、落花生が割れ易い挟み位置や押圧力の加減に熟練を要することは言うまでもなく、熟練者が使用して大量に殻割処理するための消耗品といえる。これに対して一般の消費者は大量の殻割作業を行う必要が無く、食する量だけ殻割を行い、健常者にとってこの殻割は困難な作業では無く、専用の器具は知られていない。
【０００５】
しかし近年指の力が減退してきた老人人口が増え、このため落花生の殻剥きが面倒な作業となっている消費者が増加しているといえる。そこで本考案は、落花生の殻剥きを容易に行うことができる新規な器具を提案したものである。
【課題を解決するための手段】
【０００６】
本考案の請求項１記載に係る落花生殻割器は、樹脂製の器具であって、落花生の大きさに対応した細長凹部で構成される収納部を備えた受体部と、前記収納部と対向し、対向面長手方向中央に殻割突条を設けてなる押圧体部とを、Ｕ状弾性部で挟圧開閉自在に連結してなることを特徴とするものである。
【０００７】
而して前記器具は、落花生を収納部に納めて軽く握ると殻割突条が落花生の殻に食い込み、殻割が実現できるものである。
【０００８】
また本考案の請求項２記載に係る落花生殻割器は、特に押圧体部とＵ状弾性部とが一体の成型体で、Ｕ状弾性部の端部に連結突部を設け、受体部に挿着孔部を形成し、連結突部を挿入孔部に嵌殺し連結してなるもので、二部材を樹脂の一体成型で形成でき、その製造が容易となる。
【０００９】
また本考案の請求項３記載に係る落花生殻割器は、特に、収納部の開口端と反対側の奥部に、側壁を幅狭として小凹部を連設してなるもので、落花生の端部が前記小凹部に嵌まり込み、落花生が安定した状態で収納部に納まる。
【００１０】
また本考案の請求項３記載に係る落花生殻割器は、特に、収納部内における底面と側壁の境界近傍に、横ズレ抑止用の小突条を長手方向に設けてなるもので、収納部内に収納した落花生の長手方向軸での回転（捻じるようなズレ）に対して小突条が抵抗となって、落花生が安定した状態で収納部に納まる。
【００１１】
また本考案の請求項４記載に係る落花生殻割器は、特に、押圧体部の上面に浅い皿状の押圧面部に形成してなるもので、親指の腹部分を前記押圧面部に当てて殻割を行うと、親指位置が定まり、殻割作業が容易となり且つ使い易い器具となる。
【考案の効果】
【００１２】
本考案の構成は上記のとおりで、家庭での器具による落花生の殻割を実現したものである。
【図面の簡単な説明】
【００１３】
【図１】本考案の実施形態の全体斜視図。
【図２】同正面図。
【図３】同側面図。
【図４】同使用状態の説明図。
【考案を実施するための形態】
【００１４】
本考案の実施形態について説明する。実施形態に示した器具は、受体部１と、前記受体部１と対向する押圧体部２と、受体部１と押圧体部２を連結して挟圧開閉自在に連結するＵ状弾性部３とを備えてなり、全体がＵ状の挟み具として構成される。
【００１５】
受体部１は、収納部１１と小凹部１２と連結部１３とを備えたもので、収納部１１は落花生Ａの大きさに対応した適宜な高さの側壁を有する細長凹部で、前方側壁が欠如して開口してなり、且つ収納部１１内における底面と側壁の境界近傍に、横ズレ抑止用の小突条１４を長手方向に設けてなる。また小凹部１２は前記収納部１１の奥方に連続して形成される幅狭としたもので落花生Ａの端部を収納する凹部である。
【００１６】
また連結部１３は、収納部１１及び小凹部１２の奥方（基端側）に突設して、基端面に開口した扁平な挿入孔部１５を設けたものである。尚挿入孔部１５内には、嵌め殺し構造となる溝孔１６を設けてなる。
【００１７】
押圧体部２とＵ状弾性部３とは一体の樹脂製成型体で、押圧体部２は、断面Ｔ状で、前記収納部１１及び小凹部１２と対向する側の長手方向中央の全長に殻割突条２１を設けてなり、上面には浅い皿状の押圧面部２２に形成してなるものである。
【００１８】
Ｕ状弾性部３は、前記押圧体部２と連続してＵ板状に形成したもので、押圧体部２との連結箇所と反対側に、挿入孔部１５と対応する連結突部３１を設けると共に、前記連結突部３１に嵌め殺し突起３２を形成し、連結突部３１を挿入孔部１５に挿着して器具全体を一体化してＵ状の挟み具とするものである。
【００１９】
而して前記器具は、落花生Ａを収納部１１内に納め、親指Ｂの腹部分を押圧面部２２に当てて軽く握ると、殻割突条２１が落花生Ａの殻に食い込み、殻割が行われることになる。特にこの殻割動作に際しては、落花生Ａの端部が小凹部１２に嵌まり込み、また小突条１４によって落花生の捻じれ動作が阻止され、落花生Ａが安定した状態で収納部に納まるので、前記の殻割が容易に行うことができ、使い易い器具となったものである。
【符号の説明】
【００２０】
１      受体部
１１    収納部
１２    小凹部
１３    連結部
１４    小突条
１５    挿入孔部
１６    溝孔
２      押圧体部
２１    殻割突条
２２    押圧面部
３      Ｕ状弾性部
３１    連結突部
３２    嵌め殺し突起
【図１】
0003204072.tif 000003
【図２】
0003204072.tif 000004
【図３】
0003204072.tif 000005
【図４】
0003204072.tif 000006